(57)【要約】【課題】作業者が電気機器に設けたフロントパネルの表示部を容易に視認及び操作することができる新規な電気機器装置を提供する。【解決手段】筐体１の内部に単数又は複数の操作パネル盤１０を収納してなる電気機器装置であり、筐体１の側板２の内側水平にスライドレールを設け、このスライドレールに対して相対的にスライド移動可能なスライダー１１を操作パネル盤１０に設けてあり、操作パネル盤１０の前面にフロントパネル１２を設け、このフロントパネル１２の両側に回転機構２０を設けて、この回転機構２０の案内によりフロントパネル１２を上又は下若しくは上下に回転し、このフロントパネル１２を任意の位置に固定して、フロントパネル１２の表示部を視認及び操作できるように構成してあることを特徴とする電気機器装置。【選択図】図４
2004273675.tif 000002
【特許請求の範囲】
【請求項１】
筐体の内部に単数又は複数の電気機器を収納してなる電気機器装置であり、前記筐体の側板の内側水平にスライドレールを設け、このスライドレールに対して相対的にスライド移動可能なスライダーを前記電気機器に設けてあり、前記電気機器の前面にフロントパネルを設け、このフロントパネルの両側に回転機構を設けて、この回転機構の案内により前記フロントパネルを上又は下若しくは上下に回転し、このフロントパネルを任意の位置に固定して、前記フロントパネルの表示部を視認及び操作できるように構成してあることを特徴とする電気機器装置。
【請求項２】
前記回転機構は、前記フロントパネル内にこのフロントパネルとともに回転する回転部本体と、前記電気機器の両側板を前方を突出させ、この突出部分に前記回転部の回転を受ける回転軸受とを備えてあることを特徴とする請求項１記載の電気機器装置。
【請求項３】
前記回転部本体を前記フロントパネルの前面と一体若しくは一体的に構成してあり、前記回転部本体の両側面に固定穴を形成し、この固定穴並びに前記回転軸受に、前記回転部本体の両端を固定する回転軸固定具を挿入してあることを特徴とする請求項１又は２記載の電気機器装置。
【請求項４】
前記回転部本体と前記回転軸受との間にカラーを介してあることを特徴とする請求項３記載の電気機器装置。
【請求項５】
前記回転軸固定具にネジを用いていることを特徴とする請求項３又は４記載の電気機器装置。
【請求項６】
前記回転部本体の両側面に複数の位置決め穴を設け、これにフロントパネル位置固定具を差し込んで、前記フロントパネルを任意の位置に固定できるように構成してあることを特徴とする請求項１乃至５のいずれかに記載の電気機器装置。
【請求項７】
前記フロントパネル位置固定具にボールプランジャを用いていることを特徴とする請求項６記載の電気機器装置。
【発明の詳細な説明】
【０００１】
【発明の属する技術分野】
本発明は、筐体の内部に単数又は複数の電気機器を収納し、この電気機器を筐体内から引き出す機能を有する電気機器装置に関するものである。
【０００２】
【従来の技術】
従来の筐体の内部に単数又は複数の電気機器を収納してなる電気機器装置は、筐体に備え、この筐体の側面内部に水平にスライドレールを設けてあり、このスライドレールに対して相対的にスライド移動可能なスライダーを電気機器に設けて、電気機器を筐体内から引き出すスライド機構を設けてある。
【０００３】
しかし、このようなスライド機構を設けてあっても、これは単に電気機器を取り出すために設けてあるものであり、電気機器のフロントパネルを容易に視認及び操作することは困難である。
【０００４】
また、従来の電気機器装置は、前記スライダー機構を備えてあるとともに、電気機器を引き出した状態で電気機器が上又は下若しくは上下に回転する回転機構を設けてあり、さらに、上又は下に回転させた電気機器を保持するロック機構を設けてある（例として特許文献１参照）。
【０００５】
【特許文献１】
特開平１０−２８６２１公報（第３−４頁、第１−４図）
【０００６】
【発明が解決しようとする課題】
しかし、このような回転機構を設けてあっても、電気機器そのものを上又は下若しくは上下に回転させていたため、電気機器自体の重量が大きい場合、電気機器の回転に労力を要し、作業性が悪いという課題がある。また、このような場合は、電気機器をある程度引き出さなければならないため、電気機器装置の前方にもある程度のスペースが必要になるという課題も生じた。
【０００７】
本発明は、上記問題に鑑みてなされたものであり、作業者が電気機器に設けたフロントパネルの表示部を容易に視認及び操作することができる新規な電気機器装置を提供する。
【０００８】
【課題を解決しようとする手段】
上記目的を達成するためになされた本発明は、電気機器に設けたフロントパネルを上又は下、若しくは上下に回転可能にしたことにより、フロントパネルの表示部を容易に視認及び操作することができ、点検・確認を容易に行うことができる。
【０００９】
また、電気機器の前面に設けたフロントパネルのみが上又は下、若しくは上下に回転するように構成してあるから、電気機器が筐体からでるまで引き出す必要がないため、電気機器を引き出す労力が減るとともに、フロントパネルのみ回転させればよいため、フロントパネルの表示部を視認及び操作するための労力も減少し、作業性が向上する。さらに、電気機器装置の前方の電気機器を引き出すためのスペースが小さくなる。
【００１０】
【発明の実施の形態】
以下、添付図面を用いて本発明電気機器装置に係る実施例を説明する。図１は本発明に係る電気機器装置の全体図を示し、図２乃至図４は本発明電気機器装置の要部を示し、図５はその要部の分解図を示してある。１は筐体、２は側板、１０は操作パネル盤、１１はスライダー、１２はフロントパネル、１３は側板、１４は回転軸受、１５はボールプランジャ受、２０は回転機構、２１は回転部本体、２２は固定穴、２３は位置決め穴、３１はカラー、３２は固定ネジ、３３はボールプランジャである。
【００１１】
本実施例である電気機器装置は、筐体１内に複数の電気機器を積み並べて収納してなる。具体的には下部に整流器ユニット６を７段積み、その上に操作パネル盤１０を積み、さらにその上に作業盤７を積んである。本実施例では、筐体１の側板２内側水平に操作パネル盤１０が水平移動するためのスライドレールを設けてある。また、図３乃至図８に示すように、操作パネル盤１０の側面にはこのスライドレールに案内されて、このスライドレールに対して相対的にスライド移動可能なスライダー１１を設けて、スライド機構を構成してある。
【００１２】
なお、本実施例では筐体１内に積み並べた電気機器群のほぼ中段に有する操作パネル盤１０に対してスライドレールとスライダー１１とからなるスライド機構を備えてあるが、例えば、この操作パネル盤１０が筐体１の下部又は上部に位置してもよい。また、このスライド機構は必ずしも操作パネル盤１０のみに設ける必要もなく、筐体１内に積み並べた電気機器群の少なくとも一の電気機器にスライド機構を設けてあればよい。
【００１３】
操作パネル盤１０の前面にフロントパネル１２を設けてあり、このフロントパネルの両側に回転機構２０を備えてある。この回転機構２０についての詳細は、図８に示してあるが、フロントパネル１２内にこのフロントパネル１２とともに回転する回転機構２０を設けてある。本実施例では、フロントパネル１２及び回転部本体２１の上下を折り曲げて、鍔１９，２４を設け、この鍔１９，２４にネジ穴１７，２５を形成して、サラネジ１６で螺合して、フロントパネル１２と回転部本体２１とを一体的にしてある。なお、フロントパネル１２と回転部本体２１とが一体であってもよい。
【００１４】
操作パネル盤１０の両側板１３を前方を突出させ、この突出部分に回転機構２０の回転を受ける回転軸受１４を設けてある。この回転軸受１４の外側から固定ネジ３２を挿入することができるように構成してある。回転部本体２１と回転軸受１４との間は隙間を有し、この隙間を中空のカラー３１で塞いで、このカラー３１に固定ネジ３２を挿入し、さらに固定穴２２に挿入して、固定ネジ３２を固定穴２２に螺合することにより、回転部本体２１の両端を固定するようにしてある。
【００１５】
回転部本体２０の両側面には位置決め穴２３を設けてある。本実施例ではフロントパネル１２が垂直状態の場合の位置決め穴２３、フロントパネル１２を上へ３０°傾けた場合の位置決め穴２３、同じく４５°傾けた場合の位置決め穴２３、同じく６０°傾けた場合の位置決め穴２３、並びに上向き水平に傾けた場合の位置決め穴２３をそれぞれ設けてある。また、操作パネル盤１０の両側板１３の突出部分にはボールプランジャ受１５を形成してあり、ここにボールプランジャと呼ばれる弾性力により先端部のボールがストロークするネジ３３（以下「ボールプランジャ３３」という。）を挿入し、ボールプランジャ３３の先端部を位置決め穴２３に差し込むことにより、フロントパネル１２を任意の位置に固定できるようにしてある。なお、この固定具はボールプランジャである必要はなく、フロントパネル１２を任意の位置に固定できる手段であれば、どの手段も問わない。
【００１６】
本実施例に係る電気機器装置は、以上のように構成してあり、以下のようにフロントパネル１２を上へ回転させる。先ず図２に示すように、通常は操作パネル盤１０が筐体１に収納された状態にある。先ず、操作パネル盤１０を引き出す。先ず、操作パネル盤１０のフロントパネル１２の両側に設けてある把手１８を持って引き出す。この際、操作パネル盤１０の側板１３に取りつけたスライダー１１が筐体１に取りつけたスライドレールに案内されることにより、図３及び図５に示す通り、操作パネル盤１０は水平移動をすることができる。また、操作パネル盤１０を引き出して水平移動させた場合、ボールプランジャ３３のボール部分がフロントパネル１２が垂直状態にある場合の位置決め穴２３に挿入してあり、フロントパネル１２は垂直状態を維持する。
【００１７】
続いて、フロントパネル１２を上へ４５°傾けるには、先ず、フロントパネル１２の把手１８を持って押し上げる。この際、ボールプランジャ３３のボール部分がボールプランジャ内へ押し込まれて、フロントパネル１２は回転する。フロントパネル１２が回転するには、回転部本体２１に形成した固定穴２２に固定ネジ３２を螺合することにより、回転部本体２１とカラー３１と固定ネジ３２とが回転軸になり、フロントパネル１２が回転部本体２１とともに回転することができる。このように回転させ、フロントパネル１２を４５°傾けた際にフロントパネル１２を止めれば、ボールプランジャ３３のボール部分が弾性力により、押し出されて、このボール部分がフロントパネル１２が４５°に傾けられた場合の位置決め穴２３に挿入し、フロントパネル１２は、図４及び図６に示すように、４５°に傾けられた状態で位置決めされて固定されて、この状態でフロントパネル１２の表示部を視認及び操作することができる
【００１８】
さらに、本実施例ではフロントパネル１２を上へ３０°、６０°並びに上向き水平に傾けることができる。この場合も上へ４５°傾けた場合と同様に、把手１８を持って押し上げ、又は押し下げることにより、ボールプランジャ３３のボール部分がボールプランジャ内へ押し込まれて、フロントパネル１２が回転できる状態になる。この状態でフロントパネル１２を回転させ、例えば、フロントパネル１２を上向き４５°から３０°にする場合には、フロントパネル１２を押し下げ、フロントパネル１２を３０°傾けた際にフロントパネル１２を止めれば、ボールプランジャ３３のボール部分が弾性力により、押し出されて、このボール部分がフロントパネル１２が３０°に傾けられた場合の位置決め穴２３に挿入し、フロントパネル１２は３０°に傾けられた状態で位置決めされて固定されて、この状態でフロントパネル１２の表示部を視認及び操作することができる
【００１９】
また、フロントパネル１２を上向き４５°から上向き水平に傾ける場合には、フロントパネル１２を上へ押し上げ、フロントパネル１２を上向き水平に傾けた際に、フロントパネル１２を止めると、ボールプランジャ３３のボール部分が弾性力により、ボールプランジャ３３のボール部分がフロントパネル１２が上向き水平に傾けられた場合の位置決め穴２３に挿入し、フロントパネル１２は、図７に示すように、上向き水平に傾けられた状態で位置決めされて固定されて、この状態でフロントパネル１２の表示部を視認及び操作することができる。
【００２０】
なお、回転機構２０についてはフロントパネル１２が上又は下若しくは上下に回転できるように構成してあればよく、上記実施例に限定されない。本実施例ではフロントパネル１２が上向きに傾くように構成してあるが、例えば、操作パネル盤１０が平均的身長の目の高さより高い位置にある場合には逆にフロントパネル１２が下向きに傾くように構成することも可能である。また、上記実施例では、フロントパネル１２が上向き３０°、４５°、６０°並びに水平の位置で固定できるように構成してあるが、例えば、フロントパネル１２が垂直状態並びに水平状態に固定できるように構成してあってもよく、また、本実施例では５段階に固定可能であるが、６段階以上固定可能であってもよい。
【００２１】
本実施例では、回転部本体２１の両側面に複数の位置決め穴２３を設け、これにボールプランジャ３３を差し込んで、フロントパネル１２を任意の位置に固定できるように構成してあるが、フロントパネル１２の位置を断続的に固定する必要はなく、例えば、回転機構２０を回転軸と回転軸受で構成し、回転軸にスプリングクラッチを備え、これを利用して、フロントパネル１２を適当な位置に固定するように構成してもよい。
【００２２】
【発明の効果】
本発明によれば、電気機器に設けたフロントパネルを上又は下、若しくは上下に回転可能にしたことにより、フロントパネルの表示部を容易に視認及び操作することができ、点検・確認を容易に行うことができる効果がある。
【００２３】
また、電気機器の前面に設けたフロントパネルのみが上又は下、若しくは上下に回転するように構成してあるから、電気機器が筐体からでるまで引き出す必要がないため、電気機器を引き出す労力が減るとともに、フロントパネルのみ回転させればよいため、フロントパネルを視認及び操作するための労力も減少し、作業性が向上する。さらに、電気機器装置の前方の電気機器を引き出すためのスペースが小さくなる効果がある。
【図面の簡単な説明】
【図１】本発明に係る一実施例を示す全体の斜視図である。
【図２】図１図示実施例における電気機器を筐体に収納した状態を示す要部の斜視図である。
【図３】図１図示実施例における電気機器を筐体から引き出す状態を示す要部の斜視図である。
【図４】図１図示実施例における電気機器のフロントパネルを回転させた状態を示す要部の斜視図である。
【図５】図３図示電気機器の回転機構を示す斜視図である。
【図６】図５図示回転機構におけるフロントパネルを４５°回転させた状態を示す斜視図である。
【図７】図４図示回転機構におけるフロントパネルを９０°回転させた状態を示す斜視図である。
【図８】図５乃至図７図示回転機構の分解斜視図である。
【符号の説明】
１    筐体
２    側板
１０  操作パネル盤
１１  スライダー
１２  フロントパネル
１３  側板
１４  回転軸受
１５  ボールプランジャ受
１６  サラネジ
１７  ネジ穴
１８  把手
１９  鍔
２０  回転機構
２１  回転部本体
２２  固定穴
２３  位置決め穴
２４  鍔
２５  ネジ穴
３１  カラー
３２  固定ネジ
３３  ボールプランジャ
【図１】
2004273675.tif 000003
【図２】
2004273675.tif 000004
【図３】
2004273675.tif 000005
【図４】
2004273675.tif 000006
【図５】
2004273675.tif 000007
【図６】
2004273675.tif 000008
【図７】
2004273675.tif 000009
【図８】
2004273675.tif 000010